(57)【要約】【課題】  表示画面の大型化を高めつつも、操作性を向上させる。【解決手段】  この表示装置には、少なくとも一部がタッチパネルからなる表示モニタと、表示モニタが配置される本体部と、複数の操作ボタンが配置され、前記本体部に対して収納／引き出し自在な操作部と、操作部の収納／引き出し状態を検出する検出部とが設けられている。また、表示装置には、検出部によって操作部の収納状態が検出された場合に、複数の操作ボタンそれぞれに対応する複数の補助ボタンがタッチパネル部分に表示されるように、表示モニタを制御する表示制御部が設けられている。そして、複数の操作ボタンのレイアウトと、複数の補助ボタンのレイアウトとが同等となっている。【選択図】図１２
2007048123.tif 000002
【特許請求の範囲】
【請求項１】
少なくとも一部がタッチパネルからなる表示モニタと、
前記表示モニタが配置される本体部と、
複数の操作ボタンが配置され、前記本体部に対して収納／引き出し自在な操作部と、
前記操作部の収納／引き出し状態を検出する検出部と、
前記検出部によって前記操作部の収納状態が検出された場合に、前記複数の操作ボタンそれぞれに対応する複数の補助ボタンが前記タッチパネル部分に表示されるように、前記表示モニタを制御する表示制御部とを備え、
前記複数の操作ボタンのレイアウトと、前記複数の補助ボタンのレイアウトとが同等であることを特徴とする表示装置。
【請求項２】
請求項１記載の表示装置において、
前記表示制御部は、前記複数の補助ボタンとともに画像が表示されるように前記表示モニタを制御することを特徴とする表示装置。
【請求項３】
請求項２記載の表示装置において、
前記複数の補助ボタンの表示・非表示を切り換える切換手段を備え、
前記表示制御部は、前記切換手段により前記複数の補助ボタンの非表示が指示されると、全面に前記画像が表示されるように前記表示モニタを制御することを特徴とする表示装置。
【請求項４】
請求項１〜３のいずれか１項に記載の表示装置において、
前記タッチパネルは、収納状態にある前記操作部に少なくとも対向するように配置されていて、
前記表示制御部は、収納状態にある前記操作部に対向する位置に前記複数の補助ボタンが表示されるように、前記表示モニタを制御することを特徴とする表示装置。
【発明の詳細な説明】
【技術分野】
【０００１】
本発明は、表示装置に係り、特に携帯可能な表示装置に関する。
【背景技術】
【０００２】
携帯電話やデジタルカメラ等の携帯可能な表示装置においては、被写体や撮影画像等を表示するための表示モニタが搭載されている。近年、携帯性を高めるため表示装置の小型化が要求されており、さらに表示モニタの視認性向上も求められているために筐体サイズに収まる範囲で表示面積の極力大きい表示モニタが採用されている。ところで、表示装置には操作ボタンが設けられているが、表示モニタの表示面積を確保するために操作ボタンの設置箇所にも工夫が凝らされている（例えば特許文献１、２参照）。特許文献１、２では、表示装置としての携帯電話が記載されていて、これらの携帯電話では表示モニタに対して操作ボタンをスライド可能とすることで、表示モニタの表示面積確保を実現している。
【特許文献１】特開２００３−１７９６７８号公報
【特許文献２】特開２００４−１２８７８０号公報
【発明の開示】
【発明が解決しようとする課題】
【０００３】
ここで、特許文献１、２に記載される携帯電話では、操作ボタンが収納された状態であっても操作できるように筐体の側面部分にも操作ボタンが配置されているのだが、そのスペース上の問題から側面部分の操作ボタンの配置と、スライド部分の操作ボタンの配置とが異なっているために、それぞれ異なる操作手順で操作を行わなければならず、ユーザに煩雑な印象を与える要因になっていた。
【０００４】
本発明の課題は、表示画面の大型化を高めつつも、操作性を向上させることである。
【課題を解決するための手段】
【０００５】
請求項１記載の発明における表示装置は、
少なくとも一部がタッチパネルからなる表示モニタと、
前記表示モニタが配置される本体部と、
複数の操作ボタンが配置され、前記本体部に対して収納／引き出し自在な操作部と、
前記操作部の収納／引き出し状態を検出する検出部と、
前記検出部によって前記操作部の収納状態が検出された場合に、前記複数の操作ボタンそれぞれに対応する複数の補助ボタンが前記タッチパネル部分に表示されるように、前記表示モニタを制御する表示制御部とを備え、
前記複数の操作ボタンのレイアウトと、前記複数の補助ボタンのレイアウトとが同等であることを特徴としている。
【０００６】
請求項２記載の発明は、請求項１記載の表示装置において、
前記表示制御部は、前記複数の補助ボタンとともに画像が表示されるように前記表示モニタを制御することを特徴としている。
【０００７】
請求項３記載の発明は、請求項２記載の表示装置において、
前記複数の補助ボタンの表示・非表示を切り換える切換手段を備え、
前記表示制御部は、前記切換手段により前記複数の補助ボタンの非表示が指示されると、全面に前記画像が表示されるように前記表示モニタを制御することを特徴としている。
【０００８】
請求項４記載の発明は、請求項１〜３のいずれか１項に記載の表示装置において、
前記タッチパネルは、収納状態にある前記操作部に少なくとも対向するように配置されていて、
前記表示制御部は、収納状態にある前記操作部に対向する位置に前記複数の補助ボタンが表示されるように、前記表示モニタを制御することを特徴としている。
【発明の効果】
【０００９】
請求項１記載の発明によれば、操作部が本体部に収納されて収納状態となったときに、表示モニタに出現する複数の補助ボタンが、複数の操作ボタンと同等のレイアウトで表示されているので、操作ボタンによる操作手順と補助ボタンによる操作手順とを均一化することができる。また、操作部が収納／引き出し自在であり、なおかつ表示モニタにも補助ボタンが出現するために、本体部に操作用のボタンを設置する必要もなくなる。こうすれば、本体部の全面に表示モニタを配置することもでき、表示画面の大型化も可能となる。したがって、表示画面の大型化を高めながらも、操作性を向上させることが可能となる。
【００１０】
請求項２記載の発明によれば、表示モニタに複数の補助ボタンと画像とがともに表示されるので、操作部を収納した状態であっても画像を見ながら操作することが可能となる。
請求項３記載の発明によれば、切換手段により複数の補助ボタンの非表示が指示されると表示モニタの全面に画像が表示されるので、操作部を収納した状態であっても画像を表示モニタの全面に表示させることができる。
請求項４記載の発明によれば、収納状態の操作部に対向する位置に複数の補助ボタンが表示されているので、ユーザに対して操作ボタンと補助ボタンとの関連を印象付けることができる。
【発明を実施するための最良の形態】
【００１１】
以下、本実施形態における表示装置としてのデジタルカメラについて図１〜図１４を参照にして説明する。図１，６はデジタルカメラの概略構成を表す正面図であり、図２，７は裏面図、図３，８は下面図、図４，９は正面側を表す斜視図、図５，１０は裏面側を表す斜視図である。
【００１２】
デジタルカメラ１には、図１〜図１０に示すように本体部２と、本体部２に対してスライドすることで収納／引き出し自在な操作部３とが設けられている。図１〜図５では操作部３が本体部２に収納された収納状態を表しており、図６〜図１０では操作部３が本体部２から引き出された引き出し状態を表している。
【００１３】
本体部２は、下面視略Ｌ字状に形成された外装部２０と、外装部２０の一端部でレンズ２１ａを保持するレンズ部２１とから形成されている。外装部２０の背面には、ほぼ全域に亘ってＬＣＤ２２にタッチパネル２３が積層された表示モニタ２４が配置されている。
【００１４】
操作部３は、撮影等の各種動作が操作されるものである。ここで、操作部３及び本体部２は、図示しないスライド機構によって連結されており、このスライド機構によって操作部３が本体部２に対してスライドするようになっている。スライド機構としては特に限定されず、周知のスライド機構が用いられる。そして、操作部３、本体部２及びスライド機構の少なくとも１つには操作部３の収納／引き出し状態を検出する検出部３１（図１１参照）が設けられている。
検出部３１は、例えば図示しないスイッチ接点が本体部２と操作部３との双方に備えられていて、操作部３が収納状態である場合若しくは引き出し状態である場合にのみ、双方の接点が接触するように配置されており、双方の接点の接触／非接触をもって、操作部３の収納／引き出し状態を検出するように構成されている。
なお、検出部３１は上述した物理的な構成以外にも光学的な構成（例えばフォトセンサ等）によって操作部３の収納／引き出し状態を検出するものであってもよい。
【００１５】
操作部３の背面側であって、操作部３が本体部２から引き出された際に露出する部分には、撮影動作等の各種指示が入力される複数の操作ボタン４が配列されている。複数の操作ボタン４は、レリーズボタン４１、拡大ボタン４２、縮小ボタン４３、メニューボタン４４、フラッシュボタン４５、カーソルボタン４６〜４９、決定ボタン５０、取消ボタン５１である。これらの操作ボタン４は、操作部３が収納されて収納状態になると本体部２により隠されることになる。この状態のとき、操作部３とタッチパネル２３とが対向することにもなる。
操作部３の正面側には、その上部中央にフラッシュ３２が配置されている。さらに、操作部３の正面側におけるフラッシュ３２の一側方には、収納状態時においてもレンズ２１ａを露出させるためのスリット３３が形成されている。
【００１６】
図１１は、デジタルカメラ１の主制御構成を表すブロック図である。この図１１に示すように、デジタルカメラ１には、デジタルカメラ１の各動作を統括的に制御する主制御部６が設けられている。主制御部６には、レンズ２１を介して入射された光を光電変換しアナログ信号を取得するＣＣＤ７と、ＣＣＤ７で取得されたアナログ信号に対して、ＣＤＳ（Correlated Double Sampling）や、ＡＧＣ（Automatic Gain Control）などの処理を施すアナログ信号処理回路８と、アナログ信号処理回路８で処理されたアナログ信号をデジタル変換するＡ／Ｄ変換器９と、Ａ／Ｄ変換器９で変換されたデジタル信号に対して、輝度信号や色差信号の作成やガンマ補正などを施すデジタル信号処理回路１０と、デジタル信号処理回路１０で作成された画像データを一時的に記録するバッファメモリ１１とが電気的に接続されている。また、主制御部６には、バッファメモリ１１内の画像データを読み出して圧縮若しくは伸長し、その後メモリカード１２に記録させる圧縮／伸長回路１３と、複数の操作ボタン４と、検出部３１とが電気的に接続されている。
【００１７】
また、主制御部６には、表示モニタ２４のＬＣＤ２２を制御する表示制御部１４や、タッチパネル２３が電気的に接続されている。表示制御部１４にはＬＣＤ２２に操作ボタン４を模式化して表示するための模式化データを記録する模式化データ記録部１５が電気的に接続されている。模式化データとは、複数の操作ボタン４それぞれに対応させて表示モニタ２４上に模式化された複数の補助ボタン１６を表示させるためのものであり、各補助ボタン１６の座標データ、形状データ、色彩データ等からなる。図１２は、補助ボタン１６が表示された状態を表すデジタルカメラ１の裏面図であり、図１３は斜視図であるが、この図１２，１３及び図７，１０とを比較して各操作ボタン４と補助ボタン１６との対応付けを説明すると、レリーズボタン４１とレリーズ補助ボタン１６１とが対応し、拡大ボタン４２と拡大補助ボタン１６２とが対応し、縮小ボタン４３と縮小補助ボタン１６３とが対応し、メニューボタン４４とメニュー補助ボタン１６４とが対応し、フラッシュボタン４５とフラッシュ補助ボタン１６５とが対応し、カーソルボタン４６〜４９とカーソル補助ボタン１６６〜１６９とが対応（符号の下一桁が同じ番号同士が対応）し、決定ボタン５０と決定補助ボタン１７０とが対応し、取消ボタン５１と取消ボタン１７１とが対応している。そして、これらの操作ボタン４及び補助ボタン１６を組み合わせることで種々の指示が可能となっている。
【００１８】
各補助ボタン１６の座標データは、収納状態にある操作部３に対向する位置に複数の補助ボタン１６を表示するように設定されていて、なおかつ複数の操作ボタン４と同等のレイアウトとなるように設定されている。ここで、複数の操作ボタン４のレイアウトと、複数の補助ボタン１６のレイアウトとが同等とは、完全一致や相似なレイアウトであってもよいが、ユーザに対して一目で同じ配列と印象付けることのできる程度の同等性を有していればよい。また、複数の補助ボタン１６のレイアウトは、複数の操作ボタン１６のレイアウトに対して、相似なレイアウト、すなわち縮小又は拡大されたレイアウトでもよい。さらに、複数の補助ボタン１６の表示位置も、先に例示した収納状態にある操作部３に対向する位置でなくても、表示モニタ２４の左端に配置されたり、縮小したレイアウトで表示モニタ２４内の各隅に配置してもよい。なお、予め表示モードを複数用意して、ユーザにより初期画面などで選択できるようにしてもよい。
そして、各補助ボタン１６の形状データ及び色彩データは、対応する操作ボタン４を模式化して表示するように設定されている。
【００１９】
表示制御部１４は、補助ボタン１６が表示されていない場合は、撮影画像やプレビュー画像などの画像が操作ボタン４への操作に基づいて全面に表示されるようにＬＣＤ２２を制御する。これを第２表示モードと称す。一方、表示制御部１４は、補助ボタン１６が表示されている場合は、補助ボタン１６が表示される領域以外の領域（画像領域）に画像（撮影画像やプレビュー画像）が表示されるようにＬＣＤ２２を制御する。これを第１表示モードと称す。
【００２０】
ここで、補助ボタン１６の表示・非表示の切換について説明する。表示する際においては検出部３１が収納状態を検出することにより出力した検出信号が主制御部６を介して表示制御部１４に入力されると、当該検出信号に基づいて表示制御部１４は補助ボタン１６が表示されるようにＬＣＤ２２を制御する。その後、検出部３１が引き出し状態を検出することにより出力した検出信号が主制御部６を介して表示制御部１４に入力されると、当該検出信号に基づいて表示制御部１４は補助ボタン１６が非表示となるようにＬＣＤ２２を制御する。
【００２１】
また、操作部３が収納状態のままであっても補助ボタン１６の表示・非表示を切り換えられるようにすることも可能である。例えば、表示時にタッチパネル２３の画像領域がタッチされると、その切換信号が主制御部６を介して表示制御部１４に入力されるので、表示制御部１４は補助ボタン１６が非表示となるようにＬＣＤ２２を制御する。そして、非表示時にタッチパネル２３がタッチされると、その切換信号が主制御部６を介して表示制御部１４に入力されるので、表示制御部１４は補助ボタン１６が表示されるようにＬＣＤ２２を制御する。つまり、タッチパネル２３及び主制御部６が本発明の切換手段である。なお、補助ボタン１６の表示・非表示の切換専用ボタンを設けてもよく、設ける場合には操作部３が収納状態であっても外部に露出する箇所に配置することが好ましい。
【００２２】
次に、本実施形態の作用について図１４のフローチャートを参照にして説明する。
まず、待機状態時においては、操作部３は本体部２に収納されていて収納状態となっており、各駆動部に対する電力供給は低消費状態（システムＯＦＦ状態）となっている。ステップＳ１で主制御部６は、検出部３１からの検出結果を基に操作部３の収納／引き出し状態を判断する。
【００２３】
ステップＳ１で操作部３を収納状態と判断した場合には、主制御部６はタッチパネル２３からの入力信号の有無に基づいて、タッチパネル２３への操作が行われているか否かを判断し（ステップＳ２）、操作がない場合にはその状態を維持して、操作がある場合にはステップＳ３に移行する。
ステップＳ３では、主制御部６は各駆動部に対する電力供給を通常状態としてシステムＯＮ状態にしてから、表示制御部１４を制御してＬＣＤ２２を起動させる（ステップＳ４）。この際、主制御部６は、メモリカード１２に記録されている撮影画像がＬＣＤ２２に表示される再生モードとなるように、各駆動部を制御している。
【００２４】
ステップＳ５では、主制御部６は、第１表示モードとなるように表示制御部１４を制御する。これにより、ＬＣＤ２２における収納状態にある操作部３に対向する位置に複数の補助ボタン１６が表示されることになり、画像領域にはメモリカード１２に記録されている最新の撮影画像がＬＣＤ２２に表示される。
【００２５】
ステップＳ６では主制御部６は、作業者により補助ボタン１６がタッチされることにより、タッチパネル２３に入力された指示に基づいて、撮影画像がＬＣＤ２２に順次コマ送り表示されるように表示制御部１４を制御する。その後、主制御部６は、システムＯＮ状態から待機状態に切り換えるＯＦＦ指示がタッチパネル２３に入力されたか否かを判断し（ステップＳ７）、ＯＦＦ指示がない場合にはステップＳ８へ移行し、ＯＦＦ指示がある場合にはステップＳ２８へ移行する。
【００２６】
ステップＳ８では主制御部６は、再生モードから撮影モードに切り換える切換指示がタッチパネル２３に入力されたか否かを判断し、切換指示がない場合にはステップＳ６に移行し、切換指示がある場合にはステップＳ９に移行する。
【００２７】
ステップＳ９では、主制御部６は、ＬＣＤ２２の画像領域に、現在ＣＣＤ７に投影されている画像がプレビュー表示されるように、表示制御部１４を制御する。その後、主制御部６は、作業者によりレリーズ補助ボタン１６１がタッチされたか否かを判断し（ステップＳ１０）、ない場合はその状態を維持し、撮影指示信号が主制御部６に入力された場合には、ステップＳ１１に移行して各駆動部を制御して撮影動作を行う。
【００２８】
その後、ステップＳ１２では、主制御部６は、撮影により得られた撮影画像が所定時間だけＬＣＤ２２の画像領域に表示されて、所定時間経過後にプレビュー表示に切り換るように表示制御部１４を制御する。
【００２９】
ステップＳ１３では、主制御部６は、ＯＦＦ指示がタッチパネル２３に入力されたか否かを判断し、ＯＦＦ指示がない場合にはステップＳ１４へ移行し、ＯＦＦ指示がある場合にはステップＳ２８へ移行する。
【００３０】
ステップＳ１４では主制御部６は、撮影モードから再生モードに切り換える切換指示がタッチパネル２３に入力されたか否かを判断し、切換指示がない場合にはステップＳ１０に移行し、切換指示がある場合にはステップＳ１５に移行する。
ステップＳ１５では、主制御部６は、ＬＣＤ２２の画像領域に、メモリカード１２に記録されている最新の撮影画像が表示されるように表示制御部１４を制御し、その後、ステップＳ６に移行する。
【００３１】
また、ステップＳ１で操作部３を引き出し状態と判断した場合、主制御部６はステップＳ１６に移行して、各駆動部に対する電力供給を通常状態としてシステムＯＮ状態にしてから、表示制御部１４を制御してＬＣＤ２２を起動させる（ステップＳ１７）。この際、主制御部６は撮影モードとなるように、各駆動部を制御している。
【００３２】
ステップＳ１８では、主制御部６は、第２表示モードとなるように表示制御部１４を制御する。これにより、ＬＣＤ２２の全画面中にプレビュー画像が表示されることになる。
そして、ステップＳ１９では、主制御部６は、検出部３１からの検出結果を基に操作部３の収納／引き出し状態を判断し、収納状態と判断した場合にはステップＳ２８に移行し、引き出し状態と判断した場合にはステップＳ２０に移行する。
【００３３】
ステップＳ２０では主制御部６は、撮影モードから再生モードに切り換える切換指示が操作ボタン４に入力されたか否かを判断し、切換指示がない場合にはステップＳ２１に移行し、切換指示がある場合にはステップＳ２４に移行する。
【００３４】
ステップＳ２１では、主制御部６は、作業者によりレリーズボタン４１がタッチされたか否かを判断し、ない場合はステップＳ１９に移行し、撮影指示信号が主制御部６に入力された場合には、ステップＳ２２に移行して各駆動部を制御して撮影動作を行う。
【００３５】
その後、ステップＳ２３では、主制御部６は、撮影により得られた撮影画像が所定時間だけＬＣＤ２２の画像領域に表示されて、所定時間経過後にプレビュー表示に切り換るように表示制御部１４を制御し、ステップＳ１９に移行する。
【００３６】
一方、ステップＳ２４では、主制御部６は、メモリカード１２に記録されている最新の画像がＬＣＤ２２に表示されるように、表示制御部１４を制御する。その後、主制御部６は、作業者により操作ボタン４がタッチされることにより、操作ボタン４に入力された指示に基づいて、撮影画像がＬＣＤ２２に順次コマ送り表示されるように表示制御部１４を制御する（ステップＳ２５）。
【００３７】
ステップＳ２６では、主制御部６は、再生モードから撮影モードに切り換える切換指示が操作ボタン４に入力されたか否かを判断し、切換指示がない場合にはステップＳ２５に移行し、切換指示がある場合にはステップＳ２７に移行する。
【００３８】
ステップＳ２７では、主制御部６は、ＬＣＤ２２の画像領域に、現在ＣＣＤ７に投影されている画像がプレビュー表示されるように表示制御部１４を制御し、ステップＳ１９に移行する。
【００３９】
そして、ステップＳ２８では主制御部６は、表示制御部１４を制御してＬＣＤ２２を停止させる。その後ステップＳ２９では主制御部６は、各駆動部に対する電力供給を低消費状態としてシステムＯＦＦ状態にする。
【００４０】
以上のように、本実施形態によれば、操作部３が本体部２に収納されて収納状態となったときに、表示モニタ２４に出現する複数の補助ボタン１６が、複数の操作ボタン４と同等のレイアウトで表示されているので、操作ボタン４による操作手順と補助ボタン１６による操作手順とを均一化することができる。また、操作部３が収納／引き出し自在であり、なおかつ表示モニタ２４にも補助ボタン１６が出現するために、本体部に操作用のボタンを設置する必要もなくなる。こうすれば、本体部２の全面に表示モニタ２４を配置することもでき、表示画面の大型化も可能となる。したがって、表示画面の大型化を高めながらも、操作性を向上させることが可能となる。
【００４１】
そして、表示モニタ２４に複数の補助ボタン１６と画像とがともに表示されるので、操作部３を収納した状態であっても画像を見ながら操作することが可能となる。
また、複数の補助ボタン１６の非表示が指示されると表示モニタ２４の全面に画像が表示されるので、操作部３を収納した状態であっても画像を表示モニタの全面に表示させることができる。
さらに、収納状態の操作部３に対向する位置に複数の補助ボタン１６が表示されているので、ユーザに対して操作ボタン４と補助ボタン１６との関連を印象付けることができ、これにより直感的な操作性を向上させることができる。また、補助ボタン１６自体も操作ボタン４を模式化したものであるので、視認性をより高めることができる。
【００４２】
なお、本発明は上記実施の形態に限らず適宜変更可能であるのは勿論である。
例えば、本実施形態では、表示装置としてデジタルカメラを例示して説明したが、画像表示機能を有した電子機器ならば如何なるものにも適応でき、これ以外にも携帯電話や、静止画再生装置、動画再生装置、音楽再生装置、携帯ゲーム機などが挙げられる。
【図面の簡単な説明】
【００４３】
【図１】本実施形態の表示装置としてのデジタルカメラの収納時における概略構成を表す正面図である。
【図２】図１のデジタルカメラの収納時における概略構成を表す裏面図である。
【図３】図１のデジタルカメラの収納時における概略構成を表す下面図である。
【図４】図１のデジタルカメラの収納時における正面側を表す斜視図である。
【図５】図１のデジタルカメラの収納時における裏面側を表す斜視図である。
【図６】図１のデジタルカメラの露出時における概略構成を表す正面図である。
【図７】図１のデジタルカメラの露出時における概略構成を表す裏面図である。
【図８】図１のデジタルカメラの露出時における概略構成を表す下面図である。
【図９】図１のデジタルカメラの露出時における正面側を表す斜視図である。
【図１０】図１のデジタルカメラの露出時における裏面側を表す斜視図である。
【図１１】図１のデジタルカメラの主制御構成を表すブロック図である。
【図１２】図３のデジタルカメラに補助ボタンが表示された状態を表す裏面図である。
【図１３】図３のデジタルカメラに補助ボタンが表示された状態を表す斜視図である。
【図１４】図１のデジタルカメラの作用を表すフローチャートである。
【符号の説明】
【００４４】
１      デジタルカメラ（表示装置）
２      本体部
３      操作部
４      操作ボタン
６      主制御部（切換手段）
１４      表示制御部
１５      模式化データ記録部
１６      補助ボタン
２３      タッチパネル（切換手段）
２４      表示モニタ
３１      検出部
【図１】
2007048123.tif 000003
【図２】
2007048123.tif 000004
【図３】
2007048123.tif 000005
【図４】
2007048123.tif 000006
【図５】
2007048123.tif 000007
【図６】
2007048123.tif 000008
【図７】
2007048123.tif 000009
【図８】
2007048123.tif 000010
【図９】
2007048123.tif 000011
【図１０】
2007048123.tif 000012
【図１１】
2007048123.tif 000013
【図１２】
2007048123.tif 000014
【図１３】
2007048123.tif 000015
【図１４】
2007048123.tif 000016